(57)【要約】      （修正有）【課題】シートの動きを規制してシートの端部の耳を正確に切断することができるシート加工用カッター及びシートの加工方法を提供する。【解決手段】シート１０の端部の耳を切断するシート加工用カッターＣであって、第１の上面部１１と、第１の上面部１１に平行な第１の下面部１２と、第１の下面部１２と第１の上面部１１を接続する第１の接続部１３とを有する本体１と、第１の当接部１３に対して直交すると共に、第１の上面部１１と一体又は第１の上面部１１に接続され、前記直交する方向に延びる長手方向に長い案内部２と、案内部２にスライド自在に移動する移動体３と、移動体３に取り付けられた第１の刃４と、移動体３を案内部２に固定する第１の固定手段とを備え、案内部２の下方に第１の下面部１２が位置し、平面視、第１の下面部１２は、第１の上面部１１より前記長手方向の長さが長く、シート１０の下方の面に当接し、第１の刃４の下方に位置している。【選択図】図１
2020110221.tif 000002
【特許請求の範囲】
【請求項１】
たるみ防止板
シートの端部の耳を切断するシート加工用カッターであって、
正面視、第１の上面部と、この第１の上面部に平行な第１の下面部と、この第１の下面部と前記第１の上面部を接続する第１の接続部とを有する本体と、
前記第１の当接部に対して直交すると共に、前記第１の上面部と一体又は前記第１の上面部に接続され、前記直交する方向に延びる長手方向に長い案内部と、
この案内部にスライド自在に移動する移動体と、
この移動体に取り付けられた第１の刃と、
前記移動体を前記案内部に固定する第１の固定手段とを備え、
前記案内部の下方に前記前記第１の下面部が位置し、
平面視、前記第１の下面部は、前記第１の上面部より前記長手方向の長さが長く、前記シートの下方の面に当接し、前記第１の刃の下方に位置している
する
ことを特徴とするシート加工用カッター。
【請求項２】
第１の上面部と第１の下面部との垂直方向の隙間（Ｈ）に侵入するシートは第１の高さ調節部材で調整されるものであり、
この第１の高さ調節部材は、シート状部材で、前記第１の下面部に当接し、この当接状態は、第１の高さ固定手段により前記第１の高さ調節部材を前記第１の下面部に固定し、
前記シートは、前記第１の高さ調節部材に対向する前記第１の上面部の垂直方向の隙間Ｈ−ｈ（ｈは、第１の高さ調節部材の厚み  ｈ＜Ｈ）に侵入することが許容される
ことを特徴とする請求項１記載のシート加工用カッター。
【請求項３】
シートの端部の耳を切断するシート加工用カッターであって、
正面視、第１’の上面部と、この第１’の上面部に平行な第１’の下面部と、この第１’の下面部と前記第１’の上面部を接続し、前記シートの端部が当接する第１’の当接部とを有する本体と、
前記本体に取り付けられた第１’の刃とを備え、
前記第１’の上面部と前記第１’の下面部との垂直方向の隙間（Ｈ）に侵入する前記シートは第１’の高さ調節部材で調整されるものであり、
この第１’の高さ調節部材は、シート状部材で、前記第１’の下面部又は前記第１’の上面部に当接し、この当接状態は、第１’の高さ固定手段により前記第１’の高さ調節部材を前記第１’の下面部又は前記第１’の上面部に固定し、
前記シートは、前記第１’の高さ調節部材に対向する前記第１’の下面部又は前記第１’の上面部の垂直方向の隙間Ｈ−ｈ（ｈは、第１’の高さ調節部材の厚み  ｈ＜Ｈ）に侵入することが許容される
ことを特徴とするシート加工用カッター。
【請求項４】
シートの端部の耳を切断するシート加工用カッターであって、
正面視、第１’の上面部と、この第１’の上面部に平行な第１’の下面部と、この第１’の下面部と前記第１’の上面部を接続し、前記シートの端部が当接する第１’の当接部とを有する本体と、
前記本体に取り付けられた第１’の刃とを備え、
前記第１’の上面部と前記第１’の下面部との垂直方向の隙間（Ｈ）に侵入する前記シートは第１’の奥行き調節部材で調整されるものであり、
この第１’の奥行き調節部材は、前記第１’の上面部又は前記第１’の下面部に当接し、この当接状態は、第１’の奥行き固定手段により前記第１’の奥行き調節部材を前記第１’の上面部又は前記第１’の下面部に固定し、
前記シートは、前記第１’の奥行き調節部材の外方に臨む端面に当接して侵入が規制されるものであり、
前記第１’の奥行き調節部材の外方に臨む端面は、前記第１’の当接部と平行である
ことを特徴とするシート加工用カッター。
【請求項５】
第１’の上面部と第１’の下面部との垂直方向の隙間（Ｈ）に侵入するシートは第１’の奥行き調節部材で調整されるものであり、
この第１’の奥行き調節部材は、前記第１’の上面部又は前記第１’の下面部に当接し、この当接状態は、第１’の奥行き固定手段により前記第１’の奥行き調節部材を前記第１’の上面部又は前記第１’の下面部に固定し、
前記第１’の奥行き調節部材が前記第１’の上面部に、第１’の高さ調節部材が前記第１’の下面部に、それぞれ固定された場合、シートの下方の面は、第１’の高さ調節部材の上面に、前記シートの端面は、前記第１’の奥行き調節部材の外方に臨む端面に、それぞれ当接して侵入が規制されるものであり、
前記第１’の奥行き調節部材が前記第１’の下面部に、第１’の高さ調節部材が前記第１’の上面部に、それぞれ固定された場合、前記シートの上方の面は、前記第１’の高さ調節部材の下面に、前記シートの端面は、前記第１’の奥行き調節部材の外方に臨む端面に、それぞれ当接して侵入が規制されるものであり、
前記第１’の奥行き調節部材の外方に臨む端面は、前記第１’の当接部と平行である
ことを特徴とする請求項３記載のシート加工用カッター。
【請求項６】
本体に第１’の刃と第１”’の刃が取り付かれ、
作業者から見て、第１’の当接部にシートの右端部が当接した場合、前記第１’の刃
の刃面は、シートを上から下に向かって切れるように下方に臨む位置にあり、
作業者から見て、第１’の当接部にシートの左端部が当接した場合、前記第１”’の刃の刃面は、シートを上から下に向かって切れるように下方に臨む位置にある
ことを特徴とする請求項３又は請求項４又は請求項５記載のシート加工用カッター。
【請求項７】
シートの端部の耳を切断するシートの加工方法であって、
正面視、第１の上面部と、この第１の上面部に平行な第１の下面部と、この第１の下面部と前記第１の上面部を接続し、前記シートの端部が当接する第１の当接部とを有する本体と、
この本体に設けられ、前記第１の当接部に対して直交すると共に、前記第１の上面部の側に延びる長手方向に長い案内部と、
この案内部にスライド自在に移動する移動体と、
この移動体に取り付けられた第１の刃と、
前記移動体を前記案内部に固定する第１の固定手段とを備え、
平面視、前記第１の下面部は、前記第１の上面部より前記案内部の長手方向の長さが長く、前記シートの下方の面に当接し、前記第１の刃の下方に位置し、
前記第１の下面部に前記シートの下方の面を当接すると共に、前記第１の当接部に前記シートの端部を当接して前記シートの端部の耳を前記第１の固定手段により固定された前記移動体に取り付けられた前記第１の刃により切断する
ことを特徴とするシートの加工方法。
【請求項８】
シートの端部の耳を切断するシートの加工方法であって、
正面視、第１の上面部と、この第１の上面部に平行な第１の下面部と、この第１の下面部と前記第１の上面部を接続し、前記シートの端部が当接する第１の当接部とを有する本体と、
この本体に設けられ、前記第１の当接部に対して直交すると共に、前記第１の上面部の側に延びる長手方向に長い案内部と、
この案内部にスライド自在に移動する移動体と、
この移動体に取り付けられた第１の刃と、
前記移動体を前記案内部に固定する第１の固定手段とを備え、
前記第１の上面部と前記第１の下面部との垂直方向の隙間（Ｈ）に侵入する前記シートは第１の高さ調節部材で調整されるものであり、
この第１の高さ調節部材は、シート状部材で、前記第１の下面部又は前記第１の上面部に当接し、この当接状態は、第１の高さ固定手段により前記第１の高さ調節部材を前記第１の下面部又は前記第１の上面部に固定し、
前記シートは、前記第１の高さ調節部材に対向する前記第１の下面部又は前記第１の上面部の垂直方向の隙間Ｈ−ｈ（ｈは、第１の高さ調節部材の厚み  ｈ＜Ｈ）に侵入することが許容されるものであり、
前記右第１の高さ調節部材に対向する前記右上面部又は前記右下面部の垂直方向の隙間Ｈ−ｈ（ｈは、第１の高さ調節部材の厚み  ｈ＜Ｈ）に前記シートを侵入させると共に、前記右当接部に前記シートの端部を当接して前記シートの端部の耳を切断する
ことを特徴とするシートの加工方法。
【請求項９】
シートの端部の耳を切断するシートの加工方法であって、
正面視、第１’の上面部と、この第１’の上面部に平行な第１’の下面部と、この第１’の下面部と前記第１’の上面部を接続し、前記シートの端部が当接する第１’の当接部とを有する本体と、
前記本体に取り付けられた第１’の刃とを備え、
前記第１’の上面部と前記第１’の下面部との垂直方向の隙間（Ｈ）に侵入する前記シートは第１’の奥行き調節部材で調整されるものであり、
この第１’の高さ調節部材は、シート状部材で、前記第１’の下面部又は前記第１’の上面部に当接し、この当接状態は、第１’の高さ固定手段により前記第１’の高さ調節部材を前記第１’の下面部又は前記第１’の上面部に固定し、
前記シートは、前記第１’の高さ調節部材に対向する前記第１’の下面部又は前記第１’の上面部の垂直方向の隙間Ｈ−ｈ（ｈは、第１’の高さ調節部材の厚み  ｈ＜Ｈ）に侵入することが許容される
ことを特徴とするシートの加工方法。
【請求項１０】
シートの端部の耳を切断するシートの加工方法であって、
正面視、第１’の上面部と、この第１’の上面部に平行な第１’の下面部と、この第１’の下面部と前記第１’の上面部を接続し、前記シートの端部が当接する第１’の当接部とを有する本体と、
前記本体に取り付けられた第１’の刃とを備え、
前記第１’の上面部と前記第１’の下面部との垂直方向の隙間（Ｈ）に侵入する前記シートは第１’の奥行き調節部材で調整されるものであり、
この第１’の奥行き調節部材は、前記第１’の上面部又は前記第１’の下面部に当接し、この当接状態は、第１’の奥行き固定手段により前記第１’の奥行き調節部材を前記第１’の上面部又は前記第１’の下面部に固定し、
前記シートは、前記第１’の奥行き調節部材の外方に臨む端面に当接して侵入が規制されるものであり、
前記第１’の奥行き調節部材の外方に臨む端面は、前記第１’の当接部と平行であり、
前記シートは、前記第１’の奥行き調節部材の外方に臨む端面に当接して前記シートの端部の耳を前記第１’の刃により切断する
ことを特徴とするシートの加工方法。
耳のカット幅が、第１’の上面部又は第１’の下面部の開放端から第１’の当接部に至る奥行き寸法Ｗより小さくしたい場合、シートの端部を第１’の当接部に当接しないように手前に若干引いて、刃で切断するため、シートが動いて正確に切断できないが、
【発明の詳細な説明】
【技術分野】
【０００１】
本発明は、シート加工用カッター及びシートの加工方法に係り、特に、シートの動きを規制してシートの端部の耳を正確に切断することができるシート加工用カッター及びシートの加工方法に関する。
【背景技術】
【０００２】
従来、床材に貼着されるシートは、巻き尺状に形成されると共に、巻き尺状の一端を立設した状態で保管される。
そのため、巻き尺状の下端は、シートの重量により変形を受けることとなり、シートを床材に貼着される際、変形を受けたシートを切断する必要がある。
そして、シートの耳を切断するシートの耳の長さ、厚みが一定でないため、シートの耳の長さ、厚みに余裕をもたせて切断することとなる。
【発明の概要】
【発明が解決しようとする課題】
【０００３】
そのため、例えば、シートの厚みが薄い場合、シートの動きを規制できず、シートの端部の耳を正確に切断することができないという問題点をあった。
【０００４】
本発明は、上記の問題点を考慮してなされたもので、シートの動きを規制してシートの端部の耳を正確に切断することができるシート加工用カッター及びシートの加工方法を提供することを目的とする。
【課題を解決するための手段】
【０００５】
請求項１記載のシート加工用カッターは、シートの端部の耳を切断するシート加工用カッターであって、正面視、第１の上面部と、この第１の上面部に平行な第１の下面部と、この第１の下面部と前記第１の上面部を接続する第１の接続部とを有する本体と、前記第１の当接部に対して直交すると共に、前記第１の上面部と一体又は前記第１の上面部に接続され、前記直交する方向に延びる長手方向に長い案内部と、この案内部にスライド自在に移動する移動体と、この移動体に取り付けられた第１の刃と、前記移動体を前記案内部に固定する第１の固定手段とを備え、前記案内部の下方に前記前記第１の下面部が位置し、平面視、前記第１の下面部は、前記第１の上面部より前記長手方向の長さが長く、前記シートの下方の面に当接し、前記第１の刃の下方に位置しているものである。
【０００６】
また、請求項２記載のシート加工用カッターは、請求項１記載のシート加工用カッターにおいて、第１の上面部と第１の下面部との垂直方向の隙間（Ｈ）に侵入するシートは第１の高さ調節部材で調整されるものであり、この第１の高さ調節部材は、シート状部材で、前記第１の下面部に当接し、この当接状態は、第１の高さ固定手段により前記第１の高さ調節部材を前記第１の下面部に固定し、前記シートは、前記第１の高さ調節部材に対向する前記第１の上面部の垂直方向の隙間Ｈ−ｈ（ｈは、第１の高さ調節部材の厚み  ｈ＜Ｈ）に侵入することが許容されるものである。
【０００７】
また、請求項３記載のシート加工用カッターは、シートの端部の耳を切断するシート加工用カッターであって、正面視、第１’の上面部と、この第１’の上面部に平行な第１’の下面部と、この第１’の下面部と前記第１’の上面部を接続し、前記シートの端部が当接する第１’の当接部とを有する本体と、前記本体に取り付けられた第１’の刃とを備え、前記第１’の上面部と前記第１’の下面部との垂直方向の隙間（Ｈ）に侵入する前記シートは第１’の高さ調節部材で調整されるものであり、この第１’の高さ調節部材は、シート状部材で、前記第１’の下面部又は前記第１’の上面部に当接し、この当接状態は、第１’の高さ固定手段により前記第１’の高さ調節部材を前記第１’の下面部又は前記第１’の上面部に固定し、前記シートは、前記第１’の高さ調節部材に対向する前記第１’の下面部又は前記第１’の上面部の垂直方向の隙間Ｈ−ｈ（ｈは、第１’の高さ調節部材の厚み  ｈ＜Ｈ）に侵入することが許容されるものである。
【０００８】
また、請求項４記載のシート加工用カッターは、シートの端部の耳を切断するシート加工用カッターであって、正面視、第１’の上面部と、この第１’の上面部に平行な第１’の下面部と、この第１’の下面部と前記第１’の上面部を接続し、前記シートの端部が当接する第１’の当接部とを有する本体と、前記本体に取り付けられた第１’の刃とを備え、前記第１’の上面部と前記第１’の下面部との垂直方向の隙間（Ｈ）に侵入する前記シートは第１’の奥行き調節部材で調整されるものであり、この第１’の奥行き調節部材は、前記第１’の上面部又は前記第１’の下面部に当接し、この当接状態は、第１’の奥行き固定手段により前記第１’の奥行き調節部材を前記第１’の上面部又は前記第１’の下面部に固定し、前記シートは、前記第１’の奥行き調節部材の外方に臨む端面に当接して侵入が規制されるものであり、前記第１’の奥行き調節部材の外方に臨む端面は、前記第１’の当接部と平行である。
【０００９】
また、請求項５記載のシート加工用カッターは、請求項３記載のシート加工用カッターにおいて、第１’の上面部と第１’の下面部との垂直方向の隙間（Ｈ）に侵入するシートは第１’の奥行き調節部材で調整されるものであり、この第１’の奥行き調節部材は、前記第１’の上面部又は前記第１’の下面部に当接し、この当接状態は、第１’の奥行き固定手段により前記第１’の奥行き調節部材を前記第１’の上面部又は前記第１’の下面部に固定し、前記第１’の奥行き調節部材が前記第１’の上面部に、第１’の高さ調節部材が前記第１’の下面部に、それぞれ固定された場合、シートの下方の面は、第１’の高さ調節部材の上面に、前記シートの端面は、前記第１’の奥行き調節部材の外方に臨む端面に、それぞれ当接して侵入が規制されるものであり、前記第１’の奥行き調節部材が前記第１’の下面部に、第１’の高さ調節部材が前記第１’の上面部に、それぞれ固定された場合、前記シートの上方の面は、前記第１’の高さ調節部材の下面に、前記シートの端面は、前記第１’の奥行き調節部材の外方に臨む端面に、それぞれ当接して侵入が規制されるものであり、前記第１’の奥行き調節部材の外方に臨む端面は、前記第１’の当接部と平行である。
【００１０】
また、請求項６記載のシート加工用カッターは、請求項３又は請求項４又は請求項５記載のシート加工用カッターにおいて、本体に第１’の刃と第１”’の刃が取り付かれ、作業者から見て、第１’の当接部にシートの右端部が当接した場合、前記第１’の刃
の刃面は、シートを上から下に向かって切れるように下方に臨む位置にあり、作業者から見て、第１’の当接部にシートの左端部が当接した場合、前記第１”’の刃の刃面は、シートを上から下に向かって切れるように下方に臨む位置にある。
【００１１】
また、請求項７記載のシートの加工方法は、シートの端部の耳を切断するシートの加工方法であって、正面視、第１の上面部と、この第１の上面部に平行な第１の下面部と、この第１の下面部と前記第１の上面部を接続し、前記シートの端部が当接する第１の当接部とを有する本体と、この本体に設けられ、前記第１の当接部に対して直交すると共に、前記第１の上面部の側に延びる長手方向に長い案内部と、この案内部にスライド自在に移動する移動体と、この移動体に取り付けられた第１の刃と、前記移動体を前記案内部に固定する第１の固定手段とを備え、平面視、前記第１の下面部は、前記第１の上面部より前記案内部の長手方向の長さが長く、前記シートの下方の面に当接し、前記第１の刃の下方に位置し、前記第１の下面部に前記シートの下方の面を当接すると共に、前記第１の当接部に前記シートの端部を当接して前記シートの端部の耳を前記第１の固定手段により固定された前記移動体に取り付けられた前記第１の刃により切断するものである。
【００１２】
また、請求項８記載のシートの加工方法は、シートの端部の耳を切断するシートの加工方法であって、正面視、第１の上面部と、この第１の上面部に平行な第１の下面部と、この第１の下面部と前記第１の上面部を接続し、前記シートの端部が当接する第１の当接部とを有する本体と、この本体に設けられ、前記第１の当接部に対して直交すると共に、前記第１の上面部の側に延びる長手方向に長い案内部と、この案内部にスライド自在に移動する移動体と、この移動体に取り付けられた第１の刃と、前記移動体を前記案内部に固定する第１の固定手段とを備え、前記第１の上面部と前記第１の下面部との垂直方向の隙間（Ｈ）に侵入する前記シートは第１の高さ調節部材で調整されるものであり、この第１の高さ調節部材は、シート状部材で、前記第１の下面部又は前記第１の上面部に当接し、この当接状態は、第１の高さ固定手段により前記第１の高さ調節部材を前記第１の下面部又は前記第１の上面部に固定し、前記シートは、前記第１の高さ調節部材に対向する前記第１の下面部又は前記第１の上面部の垂直方向の隙間Ｈ−ｈ（ｈは、第１の高さ調節部材の厚み  ｈ＜Ｈ）に侵入することが許容されるものであり、前記右第１の高さ調節部材に対向する前記右上面部又は前記右下面部の垂直方向の隙間Ｈ−ｈ（ｈは、第１’の高さ調節部材の厚み  ｈ＜Ｈ）に前記シートを侵入させると共に、前記右当接部に前記シートの端部を当接して前記シートの端部の耳を切断するものである。
【００１３】
また、請求項９記載のシートの加工方法は、シートの端部の耳を切断するシートの加工方法であって、正面視、第１’の上面部と、この第１’の上面部に平行な第１’の下面部と、この第１’の下面部と前記第１’の上面部を接続し、前記シートの端部が当接する第１’の当接部とを有する本体と、 前記本体に取り付けられた第１’の刃とを備え、前記第１’の上面部と前記第１’の下面部との垂直方向の隙間（Ｈ）に侵入する前記シートは第１’の奥行き調節部材で調整されるものであり、この第１’の高さ調節部材は、シート状部材で、前記第１’の下面部又は前記第１’の上面部に当接し、この当接状態は、第１’の高さ固定手段により前記第１’の高さ調節部材を前記第１’の下面部又は前記第１’の上面部に固定し、前記シートは、前記第１’の高さ調節部材に対向する前記第１’の下面部又は前記第１’の上面部の垂直方向の隙間Ｈ−ｈ（ｈは、第１’の高さ調節部材の厚み  ｈ＜Ｈ）に侵入することが許容されるものである。
【００１４】
また、請求項１０記載のシートの加工方法は、シートの端部の耳を切断するシートの加工方法であって、正面視、第１’の上面部と、この第１’の上面部に平行な第１’の下面部と、この第１’の下面部と前記第１’の上面部を接続し、前記シートの端部が当接する第１’の当接部とを有する本体と、前記本体に取り付けられた第１’の刃とを備え、前記第１’の上面部と前記第１’の下面部との垂直方向の隙間（Ｈ）に侵入する前記シートは第１’の奥行き調節部材で調整されるものであり、この第１’の奥行き調節部材は、前記第１’の上面部又は前記第１’の下面部に当接し、この当接状態は、第１’の奥行き固定手段により前記第１’の奥行き調節部材を前記第１’の上面部又は前記第１’の下面部に固定し、前記シートは、前記第１’の奥行き調節部材の外方に臨む端面に当接して侵入が規制されるものであり、前記第１’の奥行き調節部材の外方に臨む端面は、前記第１’の当接部と平行であり、前記シートは、前記第１’の奥行き調節部材の外方に臨む端面に当接して前記シートの端部の耳を前記第１’の刃により切断するものである。
【発明の効果】
【００１５】
請求項１記載のシート加工用カッターによれば、平面視、第１の下面部は、第１の上面部より案内部の長手方向の長さが長く、シートの下方の面に当接するため、平面視、第１の下面部と第１の上面部の案内部の長手方向の長さが同じものに比べ、シートの下方の面が第１の下面部に多く当接し、シートのたるみを防止し、しかも、第１の下面部は、第１の刃の下方に位置しているため、施工場所の部位を傷をつけないで、シートの端部の耳を正確に切断することができる。
【００１６】
第１の下面部と第１の上面部との垂直方向の隙間に対してシートの厚みが余裕がある場合、第１の刃で切断すると、シートの動きが規制されず、シートが動いてシートの端部の耳を正確に切断できないが、
請求項２記載のシート加工用カッターによれば、上述した請求項１記載の発明の効果に加え、第１の下面部と第１の上面部との垂直方向の隙間に侵入するシートは第１の高さ調節部材で調整される、つまり、第１の高さ調節部材に対向する第１の上面部の垂直方向の隙間Ｈ−ｈ（ｈは、第１’の高さ調節部材の厚み  ｈ＜Ｈ）となって、垂直方向の隙間を小さく調整されるため、調整される分、シートの動きが規制され、シートの端部の耳を正確に切断することができる。
【００１７】
第１’の下面部と第１’の上面部との垂直方向の隙間に対してシートの厚みが余裕がある場合、刃で切断すると、シートの動きが規制されず、シートが動いてシートの端部の耳を正確に切断できないが、
請求項３記載のシート加工用カッターによれば、第１’の下面部と第１’の上面部との垂直方向の隙間に侵入するシートは第１’の高さ調節部材で調整される、つまり、第１の高さ調節部材に対向する第１’の下面部又は第１’の上面部の垂直方向の隙間Ｈ−ｈ（ｈは、第１’の高さ調節部材の厚み  ｈ＜Ｈ）となって、垂直方向の隙間を小さく調整されるため、調整される分、シートの動きが規制され、シートの端部の耳を正確に切断することができる。
【００１８】
耳のカット幅が、第１’の上面部又は第１’の下面部の開放端から第１’の当接部に至る奥行き寸法Ｗより小さくしたい場合、シートの端部を第１’の当接部に当接しないように手前に若干引いて、刃で切断するため、シートが動いて正確に切断できないが、
請求項４記載のシート加工用カッターによれば、第１’の上面部と第１’の下面部との垂直方向の隙間に侵入するシートは第１’の奥行き調節部材で調整される、つまり、シートは、第１’の奥行き調節部材の外方に臨む端面に当接するため、第１’の奥行き調節部材の外方に臨む端面から第１’の当接部に至る寸法ｗ（ｗ＜Ｗ））となって、奥行き寸法（Ｗ−ｗ）を小さく調整されるため、調整される分、シートの動きが規制され、シートの端部の耳を正確に切断することができる。
【００１９】
また、請求項５記載のシート加工用カッターによれば、上述した請求項３記載の発明の効果に加え、第１’の奥行き調節部材が第１’の上面部に、第１’の高さ調節部材が第１’の下面部に、それぞれ固定された場合、シートの下方の面は、第１’の高さ調節部材の上面に、シートの端面は、第１’の奥行き調節部材の外方に臨む端面に、それぞれ当接して侵入が規制されるものであり、
第１’の奥行き調節部材が第１’の下面部に、第１’の高さ調節部材が第１’の上面部に、それぞれ固定された場合、シートの上方の面は、第１’の高さ調節部材の下面に、シートの端面は、第１’の奥行き調節部材の外方に臨む端面に、それぞれ当接して侵入が規制される。つまり、第１の高さ調節部材に対向する第１’の下面部又は第１’の上面部の垂直方向の隙間（ｈ  ｈ＜Ｈ）に、第１’の奥行き調節部材の外方に臨む端面から右当接部に至る寸法ｗ（ｗ＜Ｗ））に、それぞれ調整されるため、調整される分、シートの動きが規制され、シートの端部の耳を正確に切断することができる。
【００２０】
また、請求項６記載のシート加工用カッターによれば、上述した請求項３又は請求項４又は請求項５記載の発明の効果に加え、作業者から見て、第１’の当接部にシートの右端部が当接した場合、第１’の刃の刃面は、シートを上から下に向かって切れるように下方に臨む位置にあり、作業者から見て、第１’の当接部にシートの左端部が当接した場合、第１”’の刃の刃面は、シートを上から下に向かって切れるように下方に臨む位置にあるため、作業者の利き手が右手、左手にかかわらず、一つのシート加工用カッターで対応することができる。
【００２１】
また、請求項７記載のシートの加工方法によれば、平面視、第１の下面部は、第１の上面部より案内部の長手方向の長さが長く、シートの下方の面に当接するため、平面視、第１の下面部と第１の上面部の案内部の長手方向の長さが同じものに比べ、シートの下方の面が第１の下面部に多く当接し、シートのたるみを防止し、しかも、第１の下面部は、第１の刃の下方に位置しているため、施工場所の部位を傷をつけないで、シートの端部の耳を正確に切断することができる。
【００２２】
第１の下面部と第１の上面部との垂直方向の隙間に対してシートの厚みが余裕がある場合、刃で切断すると、シートの動きが規制されず、シートが動いてシートの端部の耳を正確に切断できないが、
請求項８記載のシートの加工方法によれば、第１の下面部と第１の上面部との垂直方向の隙間に侵入するシートは第１の高さ調節部材で調整される、つまり、第１の高さ調節部材に対向する第１の下面部又は第１の上面部の垂直方向の隙間Ｈ−ｈ（ｈは、第１の高さ調節部材の厚み  ｈ＜Ｈ）となって、垂直方向の隙間を小さく調整されるため、調整される分、シートの動きが規制され、シートの端部の耳を正確に切断することができる。
【００２３】
第１’の下面部と第１’の上面部との垂直方向の隙間に対してシートの厚みが余裕がある場合、刃で切断すると、シートの動きが規制されず、シートが動いてシートの端部の耳を正確に切断できないが、
請求項９記載のシートの加工方法によれば、第１’の下面部と第１’の上面部との垂直方向の隙間に侵入するシートは第１’の高さ調節部材で調整される、つまり、第１’の高さ調節部材に対向する第１’の下面部又は第１’の上面部の垂直方向の隙間Ｈ−ｈ（ｈは、第１’の高さ調節部材の厚み  ｈ＜Ｈ）となって、垂直方向の隙間を小さく調整されるため、調整される分、シートの動きが規制され、シートの端部の耳を正確に切断することができる。
【００２４】
請求項１０記載のシートの加工方法によれば、第１’の上面部と第１’の下面部との垂直方向の隙間に侵入するシートは第１’の奥行き調節部材で調整される、つまり、シートは、第１’の奥行き調節部材の外方に臨む端面に当接するため、第１’の奥行き調節部材の外方に臨む端面から第１’の当接部に至る寸法ｗ（ｗ＜Ｗ））となって、奥行き寸法（Ｗ−ｗ）を小さく調整されるため、調整される分、シートの動きが規制され、シートの端部の耳を正確に切断することができる。
【図面の簡単な説明】
【００２５】
【図１】図１は、本発明の一実施例のシート加工用カッターの概略的斜視図である。
【図２】図２（ａ）は、図１のシート加工用カッターの概略的正面一部断面図であり、図２（ｂ）は、図２（ａ）の刃４で切断されるシートの概略的平面図であり、図２（ｃ）は、図２（ａ）の刃４”で切断されるシートの概略的平面図である。
【図３】図３は、図１の概略的平面図である。
【図４】図４は、図２のＡ−Ａ線による概略的断面図である。
【図５】図５は、図２のＢ−Ｂ線による概略的断面図である。
【図６】図６（ａ）は、図１の移動体を案内部に固定する第１の固定手段の動作前の状態の概略的断面図であり、図６（ｂ）は、図１の移動体を案内部に固定する第１の固定手段が動作し、移動体が案内部に固定された状態の概略的断面図である。
【図７】図７は、図１のシート加工用カッターで切断状態の概略的正面一部断面図である。
【図８】図８は、図７と異なる他の実施例の切断状態の概略的正面一部断面図である。
【図９】図９は、図８と異なる他の実施例の切断状態の概略的正面一部断面図である。
【図１０】図１０は、図９と異なる他の実施例の切断状態の概略的正面一部断面図である。
【図１１】図１１は、図１０と異なる他の実施例の切断状態の概略的正面一部断面図である。
【発明を実施するための形態】
【００２６】
本発明の一実施例のシート加工用カッター及びシートの加工方法を図面（図１乃至図１１）を参照して説明する。
【００２７】
図１に示すＣは、シート１０の端部の耳を切断するシート加工用カッターで、シート加工用カッターＣは、正面視、右側方に第１の上面部１１と、この第１の上面部１１に平行な第１の下面部１２と、この第１の下面部１２と第１の上面部１１を接続し、シート１０の端部が当接する第１の端部当接部１３と、左側方に第２の上面部１１’と、この第２の上面部１１’に平行な第２の下面部１２’と、この第２の下面部１２’と第２の上面部１１’を接続し、シート１０の端部が当接する第２の端部当接部１３’と、を有する本体１を備えている。
なお、図１においては、第１の端部当接部１３と第２の端部当接部１３’とは、一体となっているが、場合により、図示しないが、第１の端部当接部１３と第２の端部当接部１３’とは、別体でも良い。
また、図１に示すＴ１は第１の取っ手であり、Ｔ２は第１の取っ手である。
【００２８】
２は、本体１に設けられ、第１の端部当接部１３に対して直交すると共に、第１の上面部１１の側に延びる長手方向に長い案内部である。３は、適宜の幅で後述する第１の刃４で切断できるよう、案内部２にスライド自在に移動する移動体である。４は、移動体３に取り付けられた第１の刃で、図６（ａ）（ｂ）に示す５は、移動体３を案内部２に固定する第１の固定手段である。
第１の刃４は、例えば、第１の取っ手Ｔ１を右手で持って、図２（ａ）の紙面から前方に移動させてシート１０を切断するもので、図２（ｂ）に示す１０Ｋは、シート１０の切断線である。
また、第１”の刃４”は、例えば、第１の取っ手Ｔ１を左手で持って、図２（ａ）の紙面から後方に移動させてシート１０を切断するもので、図２（ｂ）に示す１０Ｋは、シート１０の切断線である。
【００２９】
第１の固定手段５は、図６（ａ）（ｂ）に示すように、レバー５１により案内部２の端部２ａに接離する接離部材５２による。図６（ａ）は、案内部２の端部２ａと接離部材５２とが離れ、第１の固定手段５の動作前の状態であり、図６（ｂ）は、案内部２の端部２ａと接離部材５２とが接し、第１の固定手段５が動作し、移動体３が案内部２に固定された状態である。なお、「接離」は、二つの部材（案内部２の端部２ａと接離部材５２）が接したり離れたりする意である。なお、第１の固定手段５は、レバー５１により案内部２の端部２ａに接離する接離部材５２による以外に、例えば、図示しないが、移動体３に雄ねじを案内部２に雌ねじを設けて螺合により固定しても良い。
【００３０】
平面視、第１の下面部１２は、第１の上面部１１より案内部２の長手方向の長さが長く長く、シート１０の下方の面に当接し、第１の刃４の下方に位置している（図１、図３参照）。
そのため、上述したシート加工用カッターＣ（シートの加工方法）によれば、図７、図８に示すように、第１の下面部１２にシート１０の下方の面を当接するため、平面視、第１の下面部１２と第１の上面部１１の案内部２の長手方向の長さが同じものに比べ、シート１０の下方の面が第１の下面部１２に多く当接し、シート１０のたるみを防止し、しかも、第１の下面部１２は、第１の刃４の下方に位置しているため、施工場所の部位を傷をつけないで、シート１０の端部の耳を正確に切断することができる。
なお、シート１０の幅は、第１の刃４を有した移動体３を移動させ、その位置は、作業者が変形を受けたシート１０の部位を考慮して任意に定めて、第１の固定手段５により固定されて、第１の刃４により切断されるようにしてある。
【００３１】
第１の下面部１２と第１の上面部１１との垂直方向の隙間に対してシート１０の厚みが余裕がある場合、刃４で切断すると、シート１０の動きが規制されず、シート１０が動いてシート１０の端部の耳を正確に切断できないが、
次に述べる実施例のシート加工用カッターＣ（シートの加工方法）によれば、図８に示すように、第１の下面部１２と第１の上面部１１との垂直方向の隙間Ｈ（Ｈは、例えば、１８mm）に侵入するシート１０は第１の高さ調節部材２０で調整される、つまり、第１の高さ調節部材２０に対向する第１の下面部１２（又は第１の上面部１１）の垂直方向の隙間ｈ（ｈ＜Ｈ）となって、垂直方向の隙間（Ｈ−ｈ）を小さく調整されるため、調整される分、シート１０の動きが規制され、シート１０の端部の耳を正確に切断することができる。
【００３２】
即ち、第１の下面部１２と第１の上面部１１との垂直方向の隙間Ｈ、Ｈは、例えば、１８mmとすれば、厚みが１０mmのシート１０を第１の下面部１２と第１の上面部１１との間に入れて切断すると、シート１０の動きが規制されず、シート１０が動いてシート１０の端部の耳を正確に切断できない。
そのため、第１の高さ調節部材２０を用いる。第１の高さ調節部材２０は、シート状部材で、厚みの異なる複数のシート状部材を準備してある。
この場合、第１の高さ調節部材２０は、厚みが７．９mmをシート状部材を用いる。即ち、第１の上面部１１と第１の下面部１２との垂直方向の隙間（Ｈ）に侵入するシート１０（例えば、厚みが１０mmのシート１０）は第１の高さ調節部材２０（例えば、厚みが７．９mmのシート状部材）で調整される。
この第１の高さ調節部材２０は、シート状部材で、第１の下面部１２（又は第１の上面部１１）に当接し、この当接状態は、第１の高さ固定手段２１（例えば、ネジ）により第１の高さ調節部材２０を第１の下面部１２（又は、第１の上面部１１）に固定する。
具体的には、第１の高さ固定手段２１は、例えば、ネジで、ネジを第１の下面部１２に設けた孔（図示せず）を介して第１の下面部１２に取り付ける。
その結果、シート１０（例えば、厚みが１０mmのシート１０）は、第１の高さ調節部材２０に対向する第１の下面部１２（又は第１の上面部１１）の垂直方向の隙間［ｈ  ｈ＜Ｈ  例えば、ｈは、Ｈが１８mmの場合、１８mm−７．９mm＝１０．１mm）に侵入することが許容される。
【００３３】
つまり、上述したシート加工用カッターＣ（シートの加工方法）によれば、第１の下面部１２と第１の上面部１１との垂直方向の隙間Ｈに侵入するシート１０（例えば、厚みが１０mmのシート１０）は第１の高さ調節部材２０（例えば、厚みが７．９mmのシート状部材）で調整される、つまり、第１の高さ調節部材２０に対向する第１の下面部１２（又は第１の上面部１１）の垂直方向の隙間ｈ［例えば、ｈは、７．９mm  ｈ＜Ｈ］となって、垂直方向の隙間ｈ［例えば、ｈは、７．９mm  ｈ＜Ｈ］を小さく調整されるため、調整される分、シートの動きが規制され、シートの端部の耳を正確に切断することができる。
【００３４】
また、正面視、本体１の左側方には、本体１の右側方と同様、本体１は、第１’の上面部１１’と、この第１’の上面部１１’に平行な第１’の下面部１２’と、この第１’の下面部１２’と第１’の上面部１１’を接続し、シート１０の端部が当接する第１’の当接部１３’とを有する。
【００３５】
４’は、本体１に取り付けられた第１’の刃であり、２０’は第１’の高さ調節部材である。第１’の高さ調節部材２０’は、第１’の上面部１１’と第１’の下面部１２’との垂直方向の隙間（Ｈ）に侵入するシート１０は調整される。
この第１’の高さ調節部材２０’は、シート状部材で、第１’の上面部１１’（又は、第１’の下面部１２’）に当接し、この当接状態は、第１’の高さ固定手段２１’（例えば、ネジ）により第１’の高さ調節部材２０’を第１’の上面部１１’（又は、第１’の下面部１２’）に固定する。
【００３６】
具体的には、第１’の高さ固定手段２１’は、例えば、ネジで、ネジを第１’の上面部１１’に設けた孔（図示せず）を介して第１’の上面部１１’に取り付ける。
その結果、シート１０（例えば、厚みが１０mmのシート１０）は、第１’の高さ調節部材２０’に対向する第１’の下面部１２’（又は、第１’の上面部１１’）の垂直方向の隙間［ｈ  ｈ＜Ｈ  例えば、ｈは、Ｈが１８mmの場合、１８mm−７．９mm＝１０．１mm）に侵入することが許容される。
【００３７】
第１’の下面部１２’と第１’の上面部１１’との垂直方向の隙間に対してシート１０の厚みが余裕がある場合、刃で切断すると、シート１０の動きが規制されず、シート１０が動いてシート１０の端部の耳を正確に切断できないが、
上述したシート加工用カッターＣ（シートの加工方法）によれば、図９に示すように、第１’の下面部１２’と第１’の上面部１１’との垂直方向の隙間Ｈに侵入するシート１０（例えば、厚みが１０mmのシート１０）は第１’の高さ調節部材２０’（例えば、厚みが７．９mmのシート状部材）で調整される、つまり、第１’の高さ調節部材２０’に対向する第１’の下面部１２’（又は、第１’の上面部１１’）の垂直方向の隙間ｈ［例えば、ｈは、７．９mm  ｈ＜Ｈ］となって、垂直方向の隙間ｈ［例えば、ｈは、７．９mm  ｈ＜Ｈ］を小さく調整されるため、調整される分、シート１０の動きが規制され、シート１０の端部の耳を正確に切断することができる。
【００３８】
耳のカット幅が、第１’の上面部１１’又は第１’の下面部１２’の開放端から第１’の当接部１３’に至る奥行き寸法Ｗ（例えば、１８mm）より小さくしたい場合、シート１０の端部を第１’の当接部１３’に当接しないように手前に若干引いて、刃４’で切断するため、シート１０が動いて正確に切断できないが、
次に述べる図１０記載の実施例のシート加工用カッターＣ（シートの加工方法）によれば、第１’の上面部１１’と第１’の下面部１２’との垂直方向の隙間に侵入するシート１０は第１’の奥行き調節部材３０’で調整される、つまり、シート１０は、第１’の奥行き調節部材３０’の外方に臨む端面３０’ａに当接するため、第１’の奥行き調節部材３０’の外方に臨む端面３０’ａから第１’の当接部１３’に至る寸法ｗ（例えば、ｗは、８mm  ｗ＜Ｗ））となって、奥行き寸法（Ｗ−ｗ）を小さく調整されるため、調整される分、シート１０の動きが規制され、シートの端部の耳を正確に第１’の刃４’により切断することができる。
【００３９】
即ち、第１’の上面部１１’と第１’の下面部１２’との垂直方向の隙間（Ｈ）に侵入するシート１０は第１’の奥行き調節部材３０’で調整されるものである。
この第１’の奥行き調節部材３０’は、例えば、直方体形状部材で、第１’の下面部１２’（又は、第１’の上面部１１’）に当接し、この当接状態は、第１’の奥行き固定手段３１’（例えば、ネジ）により第１’の奥行き調節部材３０’を第１’の上面部１１’（又は、第１’の下面部１２’）に固定する。
具体的には、、第１’の奥行き固定手段３１’は、例えば、ネジで、ネジを第１’の下面部１２’に設けた孔（図示せず）を介して第１’の下面部１２’に取り付ける。
その結果、 シート１０は、第１’の奥行き調節部材３０｀の外方に臨む端面に当接して侵入が規制され、第１’の刃４’により切断される。
なお、第１’の奥行き調節部材３０’は、本実施例では、門型形状としたが（図１参照）、必ずしも、門型形状に限られず、第１’の奥行き調節部材３０’の外方に臨む端面３０’ａが、第１’の当接部１３’と平行であれば良い。
【００４０】
なお、この場合、第１’の上面部１１’と第１’の下面部１２’との垂直方向の隙間（Ｈ）に侵入するシート１０は上述した第１’の高さ調節部材２０’で調整されるようにしても良い。
即ち、図１１に示すように、第１’の高さ調節部材２０’は、シート状部材で、第１’の上面部１１’（又は、第１’の下面部１２’）に当接し、この当接状態は、第１’の高さ固定手段２１’により第１’の高さ調節部材２１’を第１’の上面部１１’（又は、第１’の下面部１２’）に固定し、シート１０は、第１’の高さ調節部材２０’に対向する第１’の下面部１２’（又は、第１’の上面部１１’）の垂直方向の隙間Ｈ−ｈ（ｈは、第１’の高さ調節部材２０’の厚み、例えば、７．９mm  ｈ＜Ｈ）に侵入することが許容される。
つまり、シート１０は、第１’の奥行き調節部材３０’の外方に臨む端面に当接して寸法ｗ  第１’の高さ調節部材２０’の下面に当接して寸法ｈの侵入がそれぞれ規制されることとなる。
例えば、図１１に示すように、第１’の奥行き調節部材３０’が第１’の下面部１２’に、第１’の高さ調節部材２０’が第１’の上面部１１’に、それぞれ固定された場合、シート１０の上方の面は、第１’の高さ調節部材２０’の下面に、シート１０の端面は、第１’の奥行き調節部材３０’の外方に臨む端面３０’ａに、それぞれ当接して侵入が規制される。なお、図示しないが、逆に、第１’の奥行き調節部材３０’が第１’の上面部１１’に、第１’の高さ調節部材２０’が第１’の下面部１２’に、それぞれ固定された場合、シート１０の下方の面は、第１’の高さ調節部材２０’の上面に、シート１０の端面は、第１’の奥行き調節部材３０’の外方に臨む端面に、それぞれ当接して侵入が規制されるものであり、この場合、第１’の奥行き調節部材３０’のシート１０に当接する面３０’ａは、第１’の高さ調節部材２０’の外方に臨む面より第１’の当接部１３’に近い側に位置している。
なお、図１１においては、第１’の奥行き調節部材３０’のシート１０に当接する面は、第１’の高さ調節部材２０’の外方に臨む面より第１’の当接部１３’に近い側に位置している。
【００４１】
なお、図１に示すように、本体１に第１’の刃４’と第１”’の刃４”’が取り付かれている。
作業者から見て、第１’の当接部１３’にシート１０の右端部が当接した場合、第１’の刃４’の刃面は、シート１０を上から下に向かって切れるように下方に臨む位置にあり、また、作業者から見て、第１’の当接部１３’にシート１０の左端部が当接した場合、第１”’の刃４”’の刃面は、シート１０を上から下に向かって切れるように下方に臨む位置にあるようにする。
そうすると、第１’の当接部１３’にシート１０の右端部が当接した場合、第２の取っ手Ｔ２を右手で持って、第１’の刃４’により、また、第１’の当接部１３’にシート１０の左端部が当接した場合、第２の取っ手Ｔ２を左手で持って、第１”’の刃４”’により、切断でき、作業者の利き手が右手、左手にかかわらず、一つのシート加工用カッターで対応することができる。
【符号の説明】
【００４２】
Ｃ      シート加工用カッター
１      本体
２      案内部
３      移動体
４      第１の刃
５      第１の固定手段
１０    シート
１１    第１の上面部
１２    第１の下面部
１３    第１の接続部
【図１】
2020110221.tif 000003
【図２】
2020110221.tif 000004
【図３】
2020110221.tif 000005
【図４】
2020110221.tif 000006
【図５】
2020110221.tif 000007
【図６】
2020110221.tif 000008
【図７】
2020110221.tif 000009
【図８】
2020110221.tif 000010
【図９】
2020110221.tif 000011
【図１０】
2020110221.tif 000012
【図１１】
2020110221.tif 000013
【手続補正書】
【提出日】令和1年7月29日(2019.7.29)
【手続補正１】
【補正対象書類名】特許請求の範囲
【補正対象項目名】全文
【補正方法】変更
【補正の内容】
【特許請求の範囲】
【請求項１】
シートの端部の耳を切断するシート加工用カッターであって、
正面視、第１の上面部と、この第１の上面部に平行な第１の下面部と、この第１の下面部と前記第１の上面部を接続する第１の接続部と、前記シートの端部が当接する第１の当接部とを有する本体と、
前記第１の当接部に対して直交すると共に、前記第１の上面部と一体又は前記第１の上面部に接続され、前記直交する方向に延びる長手方向に長い案内部と、
この案内部にスライド自在に移動する移動体と、
この移動体に取り付けられた第１の刃と、
前記移動体を前記案内部に固定する第１の固定手段とを備え、
前記案内部の下方に前記第１の下面部が位置し、
平面視、前記第１の下面部は、前記第１の上面部より前記長手方向の長さが長く、前記シートの下方の面に当接し、前記第１の刃の下方に位置している
ことを特徴とするシート加工用カッター。
【請求項２】
第１の上面部と第１の下面部との垂直方向の隙間（Ｈ）に侵入するシートは第１の高さ調節部材で調整されるものであり、
この第１の高さ調節部材は、シート状部材で、前記第１の下面部に当接し、この当接状態は、第１の高さ固定手段により前記第１の高さ調節部材を前記第１の下面部に固定し、
前記シートは、前記第１の高さ調節部材に対向する前記第１の上面部の垂直方向の隙間Ｈ−ｈ（ｈは、第１の高さ調節部材の厚み  ｈ＜Ｈ）に侵入することが許容される
ことを特徴とする請求項１記載のシート加工用カッター。
【請求項３】
シートの端部の耳を切断するシート加工用カッターであって、
正面視、第１’の上面部と、この第１’の上面部に平行な第１’の下面部と、この第１’の下面部と前記第１’の上面部を接続し、前記シートの端部が当接する第１’の当接部とを有する本体と、
前記本体に取り付けられた第１’の刃とを備え、
前記第１’の上面部と前記第１’の下面部との垂直方向の隙間（Ｈ）に侵入する前記シートは第１’の高さ調節部材で調整されるものであり、
この第１’の高さ調節部材は、シート状部材で、前記第１’の下面部又は前記第１’の上面部に当接し、この当接状態は、第１’の高さ固定手段により前記第１’の高さ調節部材を前記第１’の下面部又は前記第１’の上面部に固定し、
前記シートは、前記第１’の高さ調節部材に対向する前記第１’の下面部又は前記第１’の上面部の垂直方向の隙間Ｈ−ｈ（ｈは、第１’の高さ調節部材の厚み  ｈ＜Ｈ）に侵入することが許容される
ことを特徴とするシート加工用カッター。
【請求項４】
シートの端部の耳を切断するシート加工用カッターであって、
正面視、第１’の上面部と、この第１’の上面部に平行な第１’の下面部と、この第１’の下面部と前記第１’の上面部を接続し、前記シートの端部が当接する第１’の当接部とを有する本体と、
前記本体に取り付けられた第１’の刃とを備え、
前記第１’の上面部と前記第１’の下面部との垂直方向の隙間（Ｈ）に侵入する前記シートは第１’の奥行き調節部材で調整されるものであり、
この第１’の奥行き調節部材は、前記第１’の上面部又は前記第１’の下面部に当接し、この当接状態は、第１’の奥行き固定手段により前記第１’の奥行き調節部材を前記第１’の上面部又は前記第１’の下面部に固定し、
前記シートは、前記第１’の奥行き調節部材の外方に臨む端面に当接して侵入が規制されるものであり、
前記第１’の奥行き調節部材の外方に臨む端面は、前記第１’の当接部と平行である
ことを特徴とするシート加工用カッター。
【請求項５】
第１’の上面部と第１’の下面部との垂直方向の隙間（Ｈ）に侵入するシートは第１’の奥行き調節部材で調整されるものであり、
この第１’の奥行き調節部材は、前記第１’の上面部又は前記第１’の下面部に当接し、この当接状態は、第１’の奥行き固定手段により前記第１’の奥行き調節部材を前記第１’の上面部又は前記第１’の下面部に固定し、
前記第１’の奥行き調節部材が前記第１’の上面部に、第１’の高さ調節部材が前記第１’の下面部に、それぞれ固定された場合、シートの下方の面は、第１’の高さ調節部材の上面に、前記シートの端面は、前記第１’の奥行き調節部材の外方に臨む端面に、それぞれ当接して侵入が規制されるものであり、
前記第１’の奥行き調節部材が前記第１’の下面部に、第１’の高さ調節部材が前記第１’の上面部に、それぞれ固定された場合、前記シートの上方の面は、前記第１’の高さ調節部材の下面に、前記シートの端面は、前記第１’の奥行き調節部材の外方に臨む端面に、それぞれ当接して侵入が規制されるものであり、
前記第１’の奥行き調節部材の外方に臨む端面は、前記第１’の当接部と平行である
ことを特徴とする請求項３記載のシート加工用カッター。
【請求項６】
本体に第１’の刃と第１”’の刃が取り付かれ、
作業者から見て、第１’の当接部にシートの右端部が当接した場合、前記第１’の刃
の刃面は、シートを上から下に向かって切れるように下方に臨む位置にあり、
作業者から見て、第１’の当接部にシートの左端部が当接した場合、前記第１”’の刃の刃面は、シートを上から下に向かって切れるように下方に臨む位置にある
ことを特徴とする請求項３又は請求項４又は請求項５記載のシート加工用カッター。
【請求項７】
シートの端部の耳を切断するシートの加工方法であって、
正面視、第１の上面部と、この第１の上面部に平行な第１の下面部と、この第１の下面部と前記第１の上面部を接続し、前記シートの端部が当接する第１の当接部とを有する本体と、
この本体に設けられ、前記第１の当接部に対して直交すると共に、前記第１の上面部の側に延びる長手方向に長い案内部と、
この案内部にスライド自在に移動する移動体と、
この移動体に取り付けられた第１の刃と、
前記移動体を前記案内部に固定する第１の固定手段とを備え、
平面視、前記第１の下面部は、前記第１の上面部より前記案内部の長手方向の長さが長く、前記シートの下方の面に当接し、前記第１の刃の下方に位置し、
前記第１の下面部に前記シートの下方の面を当接すると共に、前記第１の当接部に前記シートの端部を当接して前記シートの端部の耳を前記第１の固定手段により固定された前記移動体に取り付けられた前記第１の刃により切断する
ことを特徴とするシートの加工方法。
【請求項８】
シートの端部の耳を切断するシートの加工方法であって、
正面視、第１の上面部と、この第１の上面部に平行な第１の下面部と、この第１の下面部と前記第１の上面部を接続し、前記シートの端部が当接する第１の当接部とを有する本体と、
この本体に設けられ、前記第１の当接部に対して直交すると共に、前記第１の上面部の側に延びる長手方向に長い案内部と、
この案内部にスライド自在に移動する移動体と、
この移動体に取り付けられた第１の刃と、
前記移動体を前記案内部に固定する第１の固定手段とを備え、
前記第１の上面部と前記第１の下面部との垂直方向の隙間（Ｈ）に侵入する前記シートは第１の高さ調節部材で調整されるものであり、
この第１の高さ調節部材は、シート状部材で、前記第１の下面部又は前記第１の上面部に当接し、この当接状態は、第１の高さ固定手段により前記第１の高さ調節部材を前記第１の下面部又は前記第１の上面部に固定し、
前記シートは、前記第１の高さ調節部材に対向する前記第１の下面部又は前記第１の上面部の垂直方向の隙間Ｈ−ｈ（ｈは、第１の高さ調節部材の厚み  ｈ＜Ｈ）に侵入することが許容されるものであり、
前記第１の高さ調節部材に対向する前記第１の上面部又は前記第１の下面部の垂直方向の隙間Ｈ−ｈ（ｈは、第１の高さ調節部材の厚み  ｈ＜Ｈ）に前記シートを侵入させると共に、前記第１の当接部に前記シートの端部を当接して前記シートの端部の耳を切断する
ことを特徴とするシートの加工方法。
【請求項９】
シートの端部の耳を切断するシートの加工方法であって、
正面視、第１’の上面部と、この第１’の上面部に平行な第１’の下面部と、この第１’の下面部と前記第１’の上面部を接続し、前記シートの端部が当接する第１’の当接部とを有する本体と、
前記本体に取り付けられた第１’の刃とを備え、
前記第１’の上面部と前記第１’の下面部との垂直方向の隙間（Ｈ）に侵入する前記シートは第１’の奥行き調節部材で調整されるものであり、
この第１’の高さ調節部材は、シート状部材で、前記第１’の下面部又は前記第１’の上面部に当接し、この当接状態は、第１’の高さ固定手段により前記第１’の高さ調節部材を前記第１’の下面部又は前記第１’の上面部に固定し、
前記シートは、前記第１’の高さ調節部材に対向する前記第１’の下面部又は前記第１’の上面部の垂直方向の隙間Ｈ−ｈ（ｈは、第１’の高さ調節部材の厚み  ｈ＜Ｈ）に侵入することが許容される
ことを特徴とするシートの加工方法。
【請求項１０】
シートの端部の耳を切断するシートの加工方法であって、
正面視、第１’の上面部と、この第１’の上面部に平行な第１’の下面部と、この第１’の下面部と前記第１’の上面部を接続し、前記シートの端部が当接する第１’の当接部とを有する本体と、
前記本体に取り付けられた第１’の刃とを備え、
前記第１’の上面部と前記第１’の下面部との垂直方向の隙間（Ｈ）に侵入する前記シートは第１’の奥行き調節部材で調整されるものであり、
この第１’の奥行き調節部材は、前記第１’の上面部又は前記第１’の下面部に当接し、この当接状態は、第１’の奥行き固定手段により前記第１’の奥行き調節部材を前記第１’の上面部又は前記第１’の下面部に固定し、
前記シートは、前記第１’の奥行き調節部材の外方に臨む端面に当接して侵入が規制されるものであり、
前記第１’の奥行き調節部材の外方に臨む端面は、前記第１’の当接部と平行であり、
前記シートは、前記第１’の奥行き調節部材の外方に臨む端面に当接して前記シートの端部の耳を前記第１’の刃により切断する
ことを特徴とするシートの加工方法。
【手続補正２】
【補正対象書類名】明細書
【補正対象項目名】０００５
【補正方法】変更
【補正の内容】
【０００５】
請求項１記載のシート加工用カッターは、シートの端部の耳を切断するシート加工用カッターであって、正面視、第１の上面部と、この第１の上面部に平行な第１の下面部と、この第１の下面部と前記第１の上面部を接続する第１の接続部と、前記シートの端部が当接する第１の当接部とを有する本体と、前記第１の当接部に対して直交すると共に、前記第１の上面部と一体又は前記第１の上面部に接続され、前記直交する方向に延びる長手方向に長い案内部と、この案内部にスライド自在に移動する移動体と、この移動体に取り付けられた第１の刃と、前記移動体を前記案内部に固定する第１の固定手段とを備え、前記案内部の下方に前記第１の下面部が位置し、平面視、前記第１の下面部は、前記第１の上面部より前記長手方向の長さが長く、前記シートの下方の面に当接し、前記第１の刃の下方に位置しているものである。
【手続補正３】
【補正対象書類名】明細書
【補正対象項目名】００１２
【補正方法】変更
【補正の内容】
【００１２】
また、請求項８記載の絵馬は、シートの端部の耳を切断するシートの加工方法であって、正面視、第１の上面部と、この第１の上面部に平行な第１の下面部と、この第１の下面部と前記第１の上面部を接続し、前記シートの端部が当接する第１の当接部とを有する本体と、この本体に設けられ、前記第１の当接部に対して直交すると共に、前記第１の上面部の側に延びる長手方向に長い案内部と、この案内部にスライド自在に移動する移動体と、この移動体に取り付けられた第１の刃と、前記移動体を前記案内部に固定する第１の固定手段とを備え、前記第１の上面部と前記第１の下面部との垂直方向の隙間（Ｈ）に侵入する前記シートは第１の高さ調節部材で調整されるものであり、この第１の高さ調節部材は、シート状部材で、前記第１の下面部又は前記第１の上面部に当接し、この当接状態は、第１の高さ固定手段により前記第１の高さ調節部材を前記第１の下面部又は前記第１の上面部に固定し、前記シートは、前記第１の高さ調節部材に対向する前記第１の下面部又は前記第１の上面部の垂直方向の隙間Ｈ−ｈ（ｈは、第１の高さ調節部材の厚み  ｈ＜Ｈ）に侵入することが許容されるものであり、前記第１の高さ調節部材に対向する前記第１の上面部又は前記第１の下面部の垂直方向の隙間Ｈ−ｈ（ｈは、第１の高さ調節部材の厚み  ｈ＜Ｈ）に前記シートを侵入させると共に、前記第１の当接部に前記シートの端部を当接して前記シートの端部の耳を切断するものである。